(57)【要約】      （修正有）【課題】インクジェット用インクにおいて、カール等の用紙変形を防止するとともに、顔料の分散性を良好にする。【解決手段】顔料、水、α値が６５以下である水溶性有機溶剤、および分散剤を少なくとも含有するインクジェット用インクであって、分散剤が下記一般式（ａ）で表されるユニットＡおよび（メタ）アクリロイルーポリエチレングリコーリ誘導体のユニットを有する共重合体であり、かつ、水溶性有機溶剤と水の質量比が水溶性有機溶剤／水＝５／５〜８／２である、インクジェット用インク。2010150316.tif 000008［一般式（ａ）中、Ｒ１は水素原子または低級アルキル基を示し、ｍは１〜３の整数を示す。］【選択図】なし【特許請求の範囲】
【請求項１】
顔料、水、α値が６５以下である水溶性有機溶剤、および分散剤を少なくとも含有するインクジェット用インクであって、
前記分散剤が下記一般式（ａ）で表されるユニットＡおよび下記一般式（ｂ）で表されるユニットＢを有する共重合体であり、かつ、
前記水溶性有機溶剤と前記水の質量比が水溶性有機溶剤／水＝５／５〜８／２である、
インクジェット用インク。
【化１】
2010150316.tif 000006
［一般式（ａ）中、Ｒ１は水素原子または低級アルキル基を示し、ｍは１〜３の整数を示す。］
【化２】
2010150316.tif 000007
［一般式（ｂ）中、Ｒ２およびＲ３は水素原子または低級アルキル基を示し同一または異なってもよく、ｎは１〜２５０の整数を示す。］
【請求項２】
前記水溶性有機溶剤が、テトラエチレングリコールモノブチルエーテルおよびトリエチレングリコールモノブチルエーテルのうち少なくとも１種を含む、請求項１に記載されたインクジェット用インク。
【請求項３】
請求項１又は２に記載のインクジェット用インクを用いて印刷された印刷物。
【発明の詳細な説明】
【技術分野】
【０００１】
本発明は、インクジェット用インクに関する。
【背景技術】
【０００２】
インクジェット印刷は、流動性の高い液体インクを微細なノズルから噴出し、用紙等の記録媒体に付着させて印刷を行う。このインクジェット印刷は、比較的安価な装置で、高解像度、高品位の画像を、高速かつ低騒音で印刷可能という特徴を有し最近急速に普及している。インクジェット印刷には、主に、加熱によってインクを噴射するサーマル方式、振動を加えてインクを噴射するピエゾ方式、静電方式等がある。
【０００３】
インクジェット用のインクとしては、安価に高画質の印刷物が得られることから、水性タイプのインクが普及している。水性インクは、水分を含有することにより乾燥性を高めたインクであり、油性インクに比べ普通紙に両面印字しても裏抜け（記録媒体裏面にインクが浸透すること）がしにくく、文字再現性がよいとの特徴がある。この水性インクの色材には、大きく染料と顔料の２種類あるが、耐光性および耐水性が良好であることから顔料インクが急速に普及しつつある。
【０００４】
水性インクを用いて普通紙等の用紙に印字する場合の問題点として、カール（凸カール）やコックリング（波打ち）現象が挙げられる。これは、水性インク中の水分によって、用紙の繊維間の水素結合が切断され、用紙が膨潤してしまうために生じる現象である。
【０００５】
このようなカールの問題に対し、特許文献１では、水、水溶性有機溶剤および顔料を含有する水系インクジェットインクにおいて、水溶性有機溶剤のうちＳＰ値が１６．５以上２４．６未満である水溶性有機溶剤の含有量が全インクに対して３０質量％以上であるインクを提案している。このようなＳＰ値の範囲にある水溶性有機溶剤は、水との相溶性が良好であり、また、カール抑制効果がある。そして、このような水溶性有機溶剤を３０質量％以上含有することで、カールやコックリングを防止している。
【特許文献１】特開２００７−１５３９７５号公報
【発明の開示】
【発明が解決しようとする課題】
【０００６】
水系インクジェット用インクでは、従来、カールやコックリングのような用紙変形の問題がある。特許文献１では、水と、低極性の水溶性有機溶剤との混合溶媒を使用するため、顔料の分散性に劣るという問題がある。その理由は、水系溶媒中では、顔料と分散剤の結合は、いわゆる、疎水性相互作用による吸着によるものであるため、水と低極性の水溶性有機溶剤との混合溶媒中では、その相互作用が弱まるものと推測される。
【０００７】
したがって、本発明の目的としては、インクジェット用インクにおいて、カール等の用紙変形を防止するとともに、顔料の分散性を良好にすることである。
【課題を解決するための手段】
【０００８】
本発明の一構成としては、顔料、水、α値が６５以下である水溶性有機溶剤、および分散剤を少なくとも含有するインクジェット用インクであって、前記分散剤が下記一般式（ａ）で表されるユニットＡおよび下記一般式（ｂ）で表されるユニットＢを有する共重合体であり、かつ、前記水溶性有機溶剤と前記水の質量比が水溶性有機溶剤／水＝５／５〜８／２である、インクジェット用インクである。
【０００９】
【化１】
2010150316.tif 000002
【００１０】
［一般式（ａ）中、Ｒ１は水素原子または低級アルキル基を示し、ｍは１〜３の整数を示す。］
【００１１】
【化２】
2010150316.tif 000003
【００１２】
［一般式（ｂ）中、Ｒ２およびＲ３は水素原子または低級アルキル基を示し同一または異なってもよく、ｎは１〜２５０の整数を示す。］
【００１３】
本発明の他の構成としては、上記インクジェット用インクを用いて印刷された印刷物である。
【発明の効果】
【００１４】
本発明によれば、インクジェット用インクにおいて、カール等の用紙変形を防止するとともに、顔料の分散性を良好にすることができる。
【発明を実施するための最良の形態】
【００１５】
以下、本発明に係る実施の形態について説明するが、本実施の形態における例示が本発明を限定することはない。
【００１６】
本発明のインクジェット用インクは、顔料、水、α値が６５以下である水溶性有機溶剤、および分散剤を少なくとも含有するインクジェット用インクであって、分散剤が一般式（ａ）で表されるユニットＡおよび一般式（ｂ）で表されるユニットＢを有する共重合体（以下、共重合体（Ｉ）と称することがある）であり、かつ、水溶性有機溶剤と水の質量比が水溶性有機溶剤／水＝５／５〜８／２である、インクジェット用インクである。
【００１７】
本発明によれば、顔料、水、α値が６５以下である水溶性有機溶剤、および分散剤として共重合体（Ｉ）を少なくとも含有することで、水と低極性の水溶性有機溶剤中で顔料を分散させる際に、共重合体（Ｉ）によって顔料が保護されるため分散性を向上させることができる。これに対し、同じ水と低極性の水溶性有機溶剤中で顔料を分散させても、共重合体（Ｉ）を含有しない系では顔料の分散性が良好でない。
【００１８】
また、水溶性有機溶剤と水の質量比が水溶性有機溶剤／水＝５／５〜８／２であることで、カール等の用紙変形を抑制するために水と比較的低極性の水溶性有機溶剤とを混合して使用しても、共重合体（Ｉ）による顔料の分散性を良好に維持することができる。
【００１９】
本発明の分散剤としては、一般式（ａ）で表されるユニットＡおよび一般式（ｂ）で表されるユニットＢを有する共重合体（Ｉ）である。ユニットＡはピリジン（Ｐｙ）部を有し、ユニットＢはポリエチレングリコール（ＰＥＧ）部を有する。
【００２０】
一般式（ａ）において、Ｒ１は、上述の通り、水素原子または低級アルキル基（好ましくはＣ１）を示し、ｍは、１〜３の整数を示し、なかでもｍが３であることで分散性が安定するため好ましい。
【００２１】
一般式（ｂ）において、Ｒ２およびＲ３は、上述の通り、水素原子または低級アルキル基（好ましくはＣ１）を示し同一または異なってもよく、ｎは、１〜２５０の整数を示す。
【００２２】
共重合体（Ｉ）において、ユニットＡとユニットＢの比率は、ユニットＢ／ユニットＡの割合が仕込みモノマー重量比で２０％〜３０％であると、分散性が安定するため好ましい。
【００２３】
共重合体（Ｉ）において、その分散剤としての機能を損なわない範囲内で、他の共重合可能なモノマーを共重合成分として更に用いてもよい。このようなモノマーとしては、（メタ）アクリル系モノマー、スチレン系モノマー等が挙げられる。
【００２４】
ユニットＡおよびユニットＢの共重合様式は、ブロック共重合が好ましいが、ランダム共重合、交互共重合、グラフト共重合の共重合様式をとることができ、得られる共重合体の分散剤としての機能を損なわない限り特に制限されない。
【００２５】
共重合体（Ｉ）の数平均分子量は、１００００〜２０００００であることが好ましく、３００００〜６００００であることがさらに好ましい。
【００２６】
共重合体（Ｉ）の含有量は、顔料の質量に対し、５質量％〜２００質量％が好ましく、より好適には１０質量％〜１００質量％である。共重合体（Ｉ）の含有量が顔料質量の２００質量％を超えると、インク粘度の増加や吐出不良の原因となり、５質量％未満であるあると、顔料を良好に分散することができない。
【００２７】
共重合体（Ｉ）の調製方法は、共重合体（Ｉ）の分散剤としての機能を損なわない限り特に限定されないが、調製方法の具体例を以下に説明する。
【００２８】
共重合体（Ｉ）は、Ｐｙ部を有するユニットＡ構造を有する基質とＰＥＧ部を有するユニットＢ構造を有する基質とをグラフト共重合することで得ることができる。さらに好ましくは、共重合体（Ｉ）は、以下の式にしたがって、ラジカル共重合されたものであることが好ましい。
【００２９】
【化３】
2010150316.tif 000004
【００３０】
式中、（１）は４−ピリジルメチル−メタクリレートであり、（２）はα−メチル−ω−メタクリロイル−ＰＥＧであり、（３）はＰｙ部を有するユニットＡとＰＥＧ部を有するユニットＢとを有する共重合体（以下、Ｐｙ−ｇ−ＰＥＧと称することがある）である。（３）で表されるＰｙ−ｇ−ＰＥＧにおいて、（Ａ）はユニットＡであり、上記一般式（ａ）においてＲ１がメチル基のものであり、（Ｂ）はユニットＢであり、上記一般式（ｂ）においてＲ２およびＲ３がメチル基のものである。
【００３１】
調製方法の一例としては、４−ピリジルメチル−メタクリレート（１）、α−メチル−ω−メタクリロイル−ＰＥＧ（数平均分子量（Ｍｎ）＝２０８０）（２）、および（１）の１ｍｏｌ％のＡＩＢＮ（アゾビスイソブチロニトリル）を、モノマー質量の１０倍の量のＤＭＦ（ジメチルホルムアミド）中で溶解する。混合物の凍結および脱気を３回繰り返した後に、溶液を２４時間、６０℃で撹拌する。反応混合物は、２−プロパノール中に滴下し、溶液を数分間撹拌する。得られた沈殿物を遠心分離と凍結乾燥によってベンゼンから分離することで、Ｐｙ−ｇ−ＰＥＧ（３）の白色粉体を得ることができる。
【００３２】
このようなＰｙ−ｇ−ＰＥＧを分散剤として使用すると、分散剤がＰＥＧ部とＰｙ部を一分子中に併せ持つＰｙ−ｇ−ＰＥＧグラフト共重合体の構造を有することから、分散剤の吸着基と顔料とが多点配座することになり、分散剤と顔料とが強固に吸着するため、インク中で顔料の分散性に優れると推測される。
【００３３】
本発明の水溶性有機溶剤としては、α値が６５以下の溶剤であり、好ましくはα値が５５以下の溶剤である。α値は溶剤の溶解度という観点から極性を表している。α値が６５以下である水溶性有機溶剤は、比較的低極性の溶剤である。水は極性が高いためカール等の用紙変形を引き起こしやすいが、水と低極性の水溶性有機溶剤とを組み合わせることで、溶媒全体としての極性を低減し、カール等の用紙変形を防止することができる。
【００３４】
α値とは、ｔａｎα（＝無機性値／有機性値）で与えられる値である。ここで、「無機性値」および「有機性値」は、藤田穆により提案された「有機概念図」において用いられる特性であり、有機化合物をその炭素領域の共有結合連鎖に起因する「有機性」（共有結合性）と、置換基（官能基）に存在する静電性の影響による「無機性」（イオン結合性）との２因子に分けて、それぞれを数値化したものである。すなわち、「無機性値」および「有機性値」は、個々の有機化合物の構造等から求められ、両者の比であるα値は化合物の「有機性」と「無機性」のバランスを定量的に示す値である。「有機概念図」に関連する事項は、藤田穆著「系統的有機定性分析（混合物編）」風間書房（１９７４年）などに詳述されている。
【００３５】
このような水溶性有機溶剤としては、たとえば、
ポリエチレングリコールモノアルキルエーテル類（たとえば、テトラエチレングリコールモノブチルエーテル、テトラエチレングリコールモノペンチルエーテル、テトラエチレングリコールモノヘキシルエーテル、ペンタエチレングリコールモノブチルエーテル、ペンタエチレングリコールモノペンチルエーテル、ペンタエチレングリコールモノヘキシルエーテル、ヘキサエチレングリコールモノブチルエーテル、ヘキサエチレングリコールモノペンチルエーテル、ヘキサエチレングリコールモノヘキシルエーテル等）；
エチレングリコールモノアルキルエーテル類（たとえば、エチレングリコールモノメチルエーテル、エチレングリコールモノエチルエーテル、エチレングリコールモノブチルエーテル等）；
ジエチレングリコールモノアルキルエーテル類（たとえば、ジエチレングリコールモノメチルエーテル、ジエチレングリコールモノエチルエーテル、ジエチレングリコールモノブチルエーテル等）；
トリエチレングリコールモノアルキルエーテル類（たとえば、トリエチレングリコールモノメチルエーテル、トリエチレングリコールモノエチルエーテル、トリエチレングリコールモノブチルエーテル等）；
プロピレングリコールモノアルキルエーテル類（たとえば、プロピレングリコールモノメチルエーテル、プロピレングリコールモノエチルエーテル、プロピレングリコールモノブチルエーテル等）；
ジプロピレングリコールモノアルキルエーテル類（たとえば、ジプロピレングリコールモノメチルエーテル、ジプロピレングリコールモノエチルエーテル、ジプロピレングリコールモノブチルエーテル等）；
トリプロピレングリコールモノアルキルエーテル類（たとえば、トリプロピレングリコールモノメチルエーテル、トリプロピレングリコールモノエチルエーテル、トリプロピレングリコールモノブチルエーテル等）；
が挙げられ、これらは２種以上を組み合わせて使用してもよい。なかでも、テトラエチレングリコールモノブチルエーテルおよびトリエチレングリコールモノブチルエーテルのうち少なくとも１種を使用することが好ましい。
【００３６】
本発明の水としては、特に限定されないが、イオン交換水、蒸留水等の純水、又は超純水等、不純物の含有が少ない水が好ましい。
【００３７】
本発明の水溶性有機溶剤と水の質量比は、水溶性有機溶剤／水＝５／５〜８／２である。
【００３８】
水溶性有機溶剤の比率を基準として、水溶性有機溶剤／水の質量比が５／５以上であることで、極性の高い水の量が抑えられ、水溶性有機溶剤の量が増加するため、カール等の用紙変形を十分に防止することができる。また、水溶性有機溶剤／水の質量比において、水の比率が５／５より大きくなると、共重合体（Ｉ）の溶媒に対する溶解性が高くなり、顔料に対する吸着量が減少するため、分散性が低下すると考えられる。そのためにも、水溶性有機溶剤／水の質量比は５／５以上であることが好ましい。
【００３９】
また、水溶性有機溶剤／水の質量比が８／２以下であることで、顔料の分散性を良好に維持することができる。共重合体（Ｉ）は、水溶媒中で水和することにより運動性が高まり、分散性が良好になる傾向がある。これより、溶媒が水を含まず水溶性有機溶剤のみであると、溶媒中での共重合体（Ｉ）の拡散が小さく、共重合体（Ｉ）が顔料に吸着しても分散への寄与が少ないため、分散性が良好にならないと考えられる。そのため、水溶性有機溶剤／水の質量比は８／２以下であることが好ましい。
【００４０】
本発明の顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）、コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。これらの顔料は、いずれか１種が単独で用いられるほか、２種以上が組み合わされて使用されてもよい。
【００４１】
本発明の顔料の含有量（固形分）は、インク全体に対し、０．１質量％から２５質量％であることが好ましく、より好適には１質量％から２０質量％であり、さらに好適には２質量％から１５質量％である。この範囲で顔料が含有されることで、色材として着色および発色を良好に維持することができ、適正な画像濃度を得ることができるとともに、顔料粒子の凝集を抑えインクの粘性を適正に調整することができ、インクを良好に貯蔵することができる。
【００４２】
本発明のインクジェット用インクの粘度は、インクジェットのヘッドのノズル径や噴出環境等によってその適性範囲は異なるが、一般に、２３℃において１ｍＰａ・ｓ〜３０ｍＰａ・ｓであることが好ましく、より好適には５ｍＰａ・ｓ〜１５ｍＰａ・ｓ、さらに好適には約１０ｍＰａ・ｓ程度であること好ましい。ここでの粘度は、２３℃において０．１Ｐａ／ｓの速度で剪断応力を０Ｐａから増加させたときの１０Ｐａにおける値を表す。
【００４３】
本発明のインクジェット用インクには、必要に応じて、本発明の目的を阻害しない範囲内で、当該分野において通常用いられている各種添加剤等のその他の成分を含ませることができる。
【００４４】
具体的には、本発明のインクには、消泡剤、表面張力低下剤等として、界面活性剤を含有させることができる。界面活性剤としては、たとえば、脂肪酸塩類、高級アルコールのエステル塩類、アルキルベンゼンスルホン酸塩類、スルホコハク酸エステル塩類、高級アルコールのリン酸エステル塩類等のアニオン界面活性剤、脂肪族アミン塩類、４級アンモニュウム塩類等のカチオン界面活性剤、アミノ酸型、ベタイン型等の両性界面活性剤、高級アルコールのエチレンオキサイド付加物、アルキルフェノールのエチレンオキサイド付加物、多価アルコール脂肪酸エステルのエチレンオキサイド付加物、アセチレングリコールおよびそのエチレンオキサイド付加物等の非イオン界面活性剤、又は高分子系、シリコーン系、フッ素系の界面活性剤等が挙げられ、これらを２種以上併用してもよい。なお、これらの界面活性剤は、共重合体（Ｉ）の分散剤としての機能を損なわない範囲で添加されることが望ましい。
【００４５】
また、本発明のインクには、粘度を調整するために電解質を配合することができる。電解質としては、たとえば、硫酸ナトリウム、リン酸水素カリウム、クエン酸ナトリウム、酒石酸カリウム、ホウ酸ナトリウム等が挙げられ、これらを２種以上併用してもよい。
【００４６】
また、本発明のインクには、ｐＨを調整するためにｐＨ調整剤を添加することもできる。ｐＨ調整剤としては、たとえば、硫酸、硝酸、酢酸、水酸化ナトリウム、水酸化カリウム、水酸化アンモニウム、トリエタノールアミン等が挙げられ、これらを２種以上併用してもよい。また、これをインクの増粘助剤として用いることもできる。
【００４７】
また、本発明のインクには、インク成分の酸化を防止し、インクの保存安定性を向上させるために、酸化防止剤を配合することができる。酸化防止剤としては、たとえば、Ｌ−アスコルビン酸、Ｌ−アスコルビン酸ナトリウム、イソアスコルビン酸ナトリウム、亜硫酸カリウム、亜硫酸ナトリウム、チオ硫酸ナトリウム、亜二チオン酸ナトリウム、ピロ亜硫酸ナトリウム等が挙げられ、これらを２種以上併用してもよい。
【００４８】
また、本発明のインクには、腐敗を防止して保存安定性を向上させるために、防腐剤を配合することができる。防腐剤としては、たとえば、５−クロロ−２−メチル−４−イソチアゾリン−３−オン、２−メチル−４−イソチアゾリン−３−オン、２−ｎ−オクチル−４−イソチアゾリン−３−オン、１，２−ベンゾイソチアゾリン−３−オン等のイソチアゾロン系防腐剤；ヘキサヒドロ−１，３，５−トリス（２−ヒドロキシエチル）−ｓ−トリアジン等のトリアジン系防腐剤；２−ピリジンチオールナトリウム−１−オキシド、８−オキシキノリン等のピリジン・キノリン系防腐剤；ジメチルジチオカルバミン酸ナトリウム等のジチオカルバメート系防腐剤；２，２−ジブロモ−３−ニトリロプロピオンアミド、２−ブロモ−２−ニトロ−１，３−プロパンジオール、２，２−ジブロモ−２−ニトロエタノール、１，２−ジブロモ−２，４−ジシアノブタン等の有機臭素系防腐剤；ｐ−ヒドロキシ安息香酸メチル、ｐ−ヒドロキシ安息香酸エチル、ソルビン酸カリウム、デヒドロ酢酸ナトリウム、サリチル酸等が挙げられる。
【００４９】
次に、本発明の印刷物は、上記したインクジェット用インクを用いて印刷された印刷物である。印刷を行うインクジェットプリンタは、サーマル方式、ピエゾ方式、静電方式等いずれの方式のものであってもよく、デジタル信号に基づいてインクジェットのノズルから本発明のインクジェット用インクを噴出させ、噴出されたインク液滴を用紙等の記録媒体に付着させるようにする。このようにして得られる印刷物は、用紙変形が少なく、顔料分散性が良好であるため印刷画質も良好である。
【実施例】
【００５０】
以下、本発明を実施例により詳しく説明するが、本発明はこれらに限定されるものではない。
【００５１】
（実施例および比較例）
（Ｐｙ−ｇ−ＰＥＧの合成）
４−ピリジルメチル−メタクリレート（ｍ＝３）、α−メチル−ω−メタクリロイル−ＰＥＧ（ｎ＝４３）、および４−ピリジルメチル−メタクリレートの１ｍｏｌ％のＡＩＢＮ（アゾビスイソブチロニトリル）を、モノマー質量の１０倍の量のＤＭＦ（ジメチルホルムアミド）中に溶解した。混合物の凍結および脱気を３回繰り返した後に、溶液を２４時間、６０℃で撹拌した。反応混合物は、２−プロパノール中に滴下し、溶液を数分間撹拌した。得られた沈殿物を遠心分離と凍結乾燥によってベンゼンから分離することで、Ｐｙ−ｇ−ＰＥＧ（３）の白色粉体を得た。得られたＰｙ−ｇ−ＰＥＧの数平均分子量は３２９２０であった。
【００５２】
（インクの作製）
表１に示す組成で合計３０ｇになるように成分を混合し、ジルコニアビーズ１００ｇを入れてロッキングミル（株式会社セイワ技研製）で１２０分間分散して、実施例１および２、比較例１〜４のインクを調製した。使用した成分は以下のとおりである。
【００５３】
顔料「ＭＡ６００」（カーボンブラック、固形分１００質量％、三菱化学株式会社製）
Ｐｙ−ｇ−ＰＥＧ（上記合成したもの）
ソルスパース２００００（固形分１００質量％、Ｌｕｂｒｉｚｏｌ社製）
ソルスパース２７０００（固形分１００質量％、Ｌｕｂｒｉｚｏｌ社製）
デモールＮＬ（ナフタレンスルホン酸ホルマリン縮合物ソーダ、固形分４０質量％、花王株式会社製）
Ｄｉｓｐｅｒｂｙｋ−１９０（固形分４０質量％、ＢＹＫ−Ｃｈｅｍｉｅ社製）
ブチセノール４０（テトラエチレングリコールモノブチルエーテル、協和発酵ケミカル株式会社製）
【００５４】
なお、比較例３および４で使用した分散剤であるデモールＮＬおよびＤｉｓｐｅｒｂｙｋ−１９０は、固形分が４０質量％であることから、分散剤のうち固形分を有効量として添加し、分散剤のうち水分は溶媒の水として換算した。
【００５５】
（評価）
次に、各実施例および比較例について分散性を評価した。評価結果を表１に示す。
【００５６】
各実施例および比較例で作製したインクを光学顕微鏡（ＢＸ５１、オリンパス株式会社製）を使用して倍率１００倍で観察し、次の基準で評価した。○：粒子（顔料）の黒い凝集が確認されず初期分散性が良好である、×：粒子（顔料）の黒い凝集が観察され初期分散性が良好ではない。
【表１】
2010150316.tif 000005
【００５７】
表１に示すように、実施例１および２は、本発明の分散剤であるＰｙ−ｇ−ＰＥＧを使用したものであり、比較例１〜４に比べ、顔料の凝集が無く分散性が良好であることがわかった。